【手続補正書】
【提出日】平成21年10月28日(2009.10.28)
【手続補正１】
【補正対象書類名】明細書
【補正対象項目名】００３７
【補正方法】変更
【補正の内容】
【００３７】
波長選択素子１２は、入射したレーザ光のうち所定の選択波長の光（図１に示す破線）Ｗ１の一部（９８〜９９％程度）を選択して発光部１１に向かって反射させることによって発光素子１１ａ〜１１ｆの共振器ミラーとして機能するとともに、残りのレーザ光（図１に示す二点鎖線）Ｗ２を透過させるものである。波長選択素子１２としては、例えば、周期格子を有するホログラムのような光学素子を用いることができる。
発光部１１から射出された基本波の光（図１に示す実線）Ｗ３は、発光部１１と波長選択素子１２との間で反射を繰り返し、増幅された後、レーザ光Ｗ２として、波長選択素子１２から射出されるようになっている。波長選択素子１２はある程度の範囲の波長の光を透過させるが、そのうち、所定の波長の光だけが増幅されている。増幅された光の強度は、他の波長の光の強度と比較して著しく高い。よって、波長選択素子１２を透過した光Ｗ２は、ほぼ単一波長の光とみなすことができる。この光Ｗ２の波長は、波長選択素子１２の選択波長、つまり波長選択素子１２が反射する光Ｗ１の波長とほぼ同一である。波長選択素子１２は、所定の選択波長の光の一部（９８〜９９％程度）を反射するので、その残り（１〜２％程度）の光が出力光として利用されることになる。
【手続補正２】
【補正対象書類名】明細書
【補正対象項目名】００５５
【補正方法】変更
【補正の内容】
【００５５】
なお、本実施形態ではミラー４２を設けて、波長選択素子１２から射出される光の強度を測定したが、ミラー４２を設けなくても良い。すなわち、図６に示すように、発光素子１１ａ〜１１ｆ及び波長選択素子１２の外側に設けられたキャップ４６に嵌め込まれたガラス４７を傾斜させ、波長選択素子１２を通過した光の一部をこのガラス４７で反射させ、光強度センサにより光強度を検出しても良い。この構成の場合、光強度センサは、キャップで反射した光を検出可能な位置に配置しておけば良い。
また、光強度センサ４１を設ける位置は射出端面１２ｂに限るものではない。
また、光強度センサ４１により検出された光強度に基づいて、各発光素子１１ａ〜１１ｆから射出される光の出力を調整したが、波長選択素子１２に設けられたペルチェ素子２２にフィードバックし、波長選択素子１２の各領域Ａ〜Ｆの温度を調整し出力波長を変えることで出力強度を調整させても良い。この構成では、若干光利用効率は落ちるが、発光素子制御部４３を設ける必要がないため、コストの低減を図ることが可能となる。
【手続補正３】
【補正対象書類名】明細書
【補正対象項目名】００６７
【補正方法】変更
【補正の内容】
【００６７】
［第３実施形態の変形例］
図７に示す第３実施形態では、各領域Ｐ〜Ｕが設定温度となった場合は、温度を常に維持（各領域Ｐ〜Ｕの選択波長は時間的に一定）したが、各領域Ｐ〜Ｕの温度を時間的に変化させた光源装置であっても良い。
さらに、本変形例の光源装置では、波長変換素子５３の各領域Ｐ〜Ｕの温度が、対応する波長選択素子５２の各領域Ａ〜Ｆの温度と同期するように制御を行う。なお、全体構成は第３実施形態の光源装置５０と同様である。
本変形例の光源装置は、図９のフローチャートに示すように、温度調整部２３に、各領域Ａ〜Ｆの時間における温度がタイムテーブル（波長分布設定）、温度調整部６３に、各領域Ｐ〜Ｕの時間における温度が波長分布を設定する（ステップＳ０）。
ここで、各領域Ｐ〜Ｕのフローチャートは同じであるため、図９の左側に示す発光素子５１ａに対応する領域Ｐ及び領域Ａの制御について説明する。
まず、ある時間における波長選択素子５２から射出される波長が設定され（ステップＳ１）、その波長の光を射出する波長選択素子５２の温度Ｔ１ａが設定される（ステップＳ２ａ）。そして、第１実施形態と同様に各領域Ａの温度をペルチェ素子２２により制御し（ステップＳ３ａ）、温度センサ２１により各領域Ａの温度を測定する（ステップＳ４ａ）。そして、温度センサ２１により測定された温度と、設定温度Ｔ１ａとを比較し（ステップＳ５ａ）、一致した後、この温度を維持する（ステップＳ６）。
また、波長選択素子５２のステップＳ１ａ〜Ｓ５ａのフローが行われるのと同時に、波長変換素子５３においても同様に、設定された波長の光を変換する波長変換素子５３の温度Ｔ２ａが設定される（ステップＳ２ｂ）。そして、ペルチェ素子６２により各領域Ｐの温度を制御し（ステップＳ３ｂ）、温度センサ６１により各領域Ｐの温度を測定する（ステップＳ４ｂ）。その後、温度センサ６１により測定された温度と、設定温度Ｔ２ａとを比較し（ステップＳ５ｂ）、一致した後、この温度を維持する（ステップＳ６）。
【手続補正４】
【補正対象書類名】明細書
【補正対象項目名】００７０
【補正方法】変更
【補正の内容】
【００７０】
［第４実施形態］
次に、本発明に係る第４実施形態について、図１０及び図１１を参照して説明する
本実施形態に係る光源装置８０は、ペルチェ素子６２に代えて波長変換素子８１の領域Ｐ〜Ｕを含む表面８１ａに、電極（状態変化手段：電圧印加手段）８５が設けられている点において第３実施形態と異なる。
本実施形態の波長変換素子８１では、表面８１ａ上の領域Ｐ〜Ｕそれぞれに、隣接する電極と所定の間隔を保つように、シート状の電極８５がそれぞれ設けられている。
制御部９０は、図１０に示すように、電圧測定素子（状態検出手段）９１、電源（状態変化手段）Ｖ、電圧調整部９３を備えている。
電圧測定素子９１及び電極８５は、波長変換素子８１の各領域Ｐ〜Ｕの表面８１ａにそれぞれ接着されている。また、各領域Ｐ〜Ｕに設けられた電圧測定素子９１は電圧調整部９３に接続され、電極８５は電源Ｖを介して電圧調整部９３に接続されている。
電圧測定素子９１は、波長変換素子８１の各領域Ｐ〜Ｕの温度を測定する素子である。
また、波長変換素子８１は、電圧が印加されると屈折率が変化する。この屈折率に対応して、波長変換素子８１の変換波長、つまり、波長変換素子８１によって変換される光Ｗ１の波長が異なる。
【手続補正５】
【補正対象書類名】明細書
【補正対象項目名】００８０
【補正方法】変更
【補正の内容】
【００８０】
なお、本実施形態の画像表示装置において、緑色及び青色のレーザ光源１０１Ｇ、１０１Ｂについては、第３実施形態の光源装置５０を用いたものを説明したが、他の実施形態の光源装置を用いることも可能である。このとき、光源装置１０１Ｒ，１０１Ｇ，１０１Ｂのそれぞれに異なる実施形態の光源装置を採用することも可能であるし、同じ実施形態の光源装置を採用することも可能である。
【手続補正６】
【補正対象書類名】明細書
【補正対象項目名】００８７
【補正方法】変更
【補正の内容】
【００８７】
【図１】本発明の第１実施形態に係る光源装置を示す平面図である。
【図２】図１の光源装置に用いられるフローチャートである。
【図３】図１の光源装置の変形例を示す平面図である。
【図４】図１の光源装置の変形例を示すフローチャートである。
【図５】本発明の第２実施形態に係る光源装置を示す平面図である。
【図６】図５の光源装置の変形例を示す斜視図である。
【図７】本発明の第３実施形態に係る光源装置を示す平面図である。
【図８】図７の光源装置の変形例を示す平面図である。
【図９】図８の光源装置の変形例を示すフローチャートである。
【図１０】本発明の第４実施形態に係る光源装置を示す平面図である。
【図１１】図１０の光源装置用いられるフローチャートである。
【図１２】本発明の第５実施形態に係る画像表示装置を示す平面図である。
【図１３】本発明の画像表示装置の変形例を示す平面図である。
【図１４】本発明の第６実施形態に係るモニタ装置を示す平面図である。